(57)【要約】      （修正有）【課題】３レーザービーム方式の光ピックアップ装置において、回折格子の調整をより精度よく行え、且つ作業者の作業負荷を低くする。【解決手段】第１ピッチの２倍の長さを径方向の長さとする第１領域と、径方向の長さが前記第１領域と同じであって、第１領域と比べて反射率が異なる第２領域とを径方向に交互に位置させた調整用ディスクを回転させ（Ｓ１）、調整用ディスクに第１および第２サブビームとを照射し、第１サブビームにおける再生光に応じた第１受光量と、第２サブビームにおける再生光に応じた第２受光量と、を取得し（Ｓ２，Ｓ３）、第１領域と第２領域との境界における第１受光量の変化と、同境界における第２受光量の変化とをもとに、回折格子の位置を調整する（Ｓ４）。【選択図】図６
2015138563.tif 000002
【特許請求の範囲】
【請求項１】
回折格子を用いて、メインビームと、前記メインビームに対して第１ピッチだけずれて集光する第１および第２サブビームとを生成し、前記メインビームと前記第１および第２サブビームとを対物レンズを用いて光ディスクに集光させて、前記光ディスクの情報を読み取る光ピックアップ装置の調整方法であって、
径方向の長さが前記第１ピッチの２倍である第１領域と、前記径方向の長さが前記第１ピッチの２倍であって、前記第１領域と比べて反射率が異なる第２領域と、を前記径方向に交互に位置させた調整用ディスクを回転させる起動ステップと、
前記調整用ディスクに前記第１および第２サブビームとを照射し、前記第１サブビームにおける再生光に応じた第１受光量と、前記第２サブビームにおける再生光に応じた第２受光量と、を取得する受光量取得ステップと、
前記第１領域と前記第２領域との境界における前記第１受光量の変化と、前記境界における前記第２受光量の変化とをもとに、前記回折格子の位置を調整する調整ステップと、を有することを特徴とする光ピックアップ装置の調整方法。
【請求項２】
前記受光量取得ステップでは、前記第１サブビームにおける再生光を２分割方式の第１受光部で受光し、前記第１受光部からの出力信号の加算信号を前記第１受光量として取得し、
前記第２サブビームにおける再生光を２分割方式の第２受光部で受光し、前記第２受光部からの出力信号の加算信号を前記第２受光量として取得する、ことを特徴とする請求項１に記載の光ピックアップ装置の調整方法。
【請求項３】
前記第１領域は、情報が記録された記録領域であり、
前記第２領域は、情報が記録されていない未記録領域である、ことを特徴とする請求項１または請求項２のいずれかに記載の光ピックアップ装置の調整方法。
【請求項４】
前記第１領域と、前記第２領域とは、ピットの形状または配置が異なる、ことを特徴とする請求項１または請求項２のいずれかに記載の光ピックアップ装置の調整方法。
【請求項５】
前記調整ステップでは、前記境界における前記第１受光量および前記第２受光量の位相差が１８０度となるよう、前記回折格子の位置を調整する、ことを特徴とする請求項１から請求項４のいずれか一項に記載の、光ピックアップ装置の調整方法。
【請求項６】
回折格子を用いて、メインビームと、前記メインビームに対して第１ピッチだけずれて集光する第１および第２サブビームとを生成し、前記メインビームと前記第１および第２サブビームとを対物レンズを用いて光ディスクに集光させて、前記光ディスクの情報を読み取る光ピックアップ装置を調整するための調整用ディスクであって、
径方向の長さが前記第１ピッチの２倍である第１領域と、
前記第１領域と比べて反射率が異なり、径方向の長さが前記第１ピッチの２倍である第２領域と、を有し、
前記第１領域と前記第２領域とは、前記径方向に交互に位置している、ことを特徴とする調整用ディスク。
【発明の詳細な説明】
【技術分野】
【０００１】
本発明は、光源から照射された光から回折格子を用いてメインビームとサブビームとを生成する光ピックアップ装置の調整方法に関する。
【背景技術】
【０００２】
従来、ＤＶＤ（Digital Versatile Disk）等の光ディスクに光源からの光を照射して情報を読み取る光ピックアップ装置が知られている。光ピックアップ装置では、対物レンズを通して光ディスクに光を集光させることで、この光ディスクからの反射光（再生光）を受光部で受光し、記録された情報を読み取る。また、光ディスクには、渦巻き状にトラックが形成されており、光ピックアップ装置は、光の集光する位置がトラックに追従するよう、トラッキング制御を行う。
【０００３】
光ピックアップ装置のトラッキング制御の方法として、メインビームと、サブビーム（第１サブビーム、第２サブビーム）とを用いる３レーザービーム法が知られている。３レーザービーム法では、真ん中にメインビームＭＢを配置し、その両側に２つのサブビームＳＢを配置する。ここで、第１サブビームＳＢ１は、光ディスクに対する光ヘッドの走査方向に沿ってメインビームＭＢよりも先行する位置に集光する。また、第２サブビームＳＢ２は、光ディスクに対する光ヘッドの走査方向に沿ってメインビームＭよりも後行する位置に集光する。
【０００４】
３レーザービーム法において、サブビームＳＢ１、ＳＢ２を受光する受光部の受光量が等しい場合、差動増幅器からの信号はゼロとなる。また、ビームが集光する位置が変化し、受光部の受光量が変化すると、差動増幅器からサブビームＳＢ１とサブビームＳＢ２の差分の信号が出力される。つまり、３レーザービーム法により、メインビームＭＢの集光位置が１本のトラックのどちら側にずれているかの情報と、メインビームＭＢのずれ量の情報が得られることになる（例えば、特許文献１参照）。
【０００５】
これら、３つのビームを生成するために、従来では、光源からの光を回折格子で回折させて、０次光（回折なし）のメインビームと、プラス１次光の第１サブビームと、マイナス１次光の第２サブビームとを生成している。そのため、回折格子の位置を調整することで、メインビームＭＢと、サブビームＳＢ１、ＳＢ２の集光位置を調整することが可能となる（例えば、特許文献２参照）。
【０００６】
サブビームＳＢ１、ＳＢ２の集光位置を調整する方法として、従来では、作業者は、回折格子を少しずつ動かしながら、変化する受光部からの出力信号を観察し、調整を行っていた。例えば、サブビームをメインビームに対して２．５トラックずれた位置に調整する場合、まず、作業者は、受光部からの出力信号が、メインビームとサブビームを０．５トラックずらした位置の波形となるよう回折格子を調整する。その後、作業者は、サブビームをメインビームに対して２トラック分ずれた位置に調整していた。
【先行技術文献】
【特許文献】
【０００７】
【特許文献１】特開２０１０−２５０８６８号公報
【特許文献２】特開２０１２−２５６３８７号公報
【発明の概要】
【発明が解決しようとする課題】
【０００８】
従来のサブビームの集光位置の調整は、作業者が回折格子の位置を少しずつ動かして調整するため、調整に要する時間が長かった。また、調整ミスも多かった。
【０００９】
本発明は、上記課題にかんがみてなされたもので、３レーザービーム方式の光ピックアップ装置において、回折格子の調整をより精度よく行え、且つ作業者の作業負荷を低くすることを目的とする。
【課題を解決するための手段】
【００１０】
適用例１
上記課題を解決するために、本発明の一態様では、回折格子を用いて、メインビームと、前記メインビームに対して第１ピッチだけずれて集光する第１および第２サブビームとを生成し、前記メインビームと前記第１および第２サブビームとを対物レンズを用いて光ディスクに集光させて、前記光ディスクの情報を読み取る光ピックアップ装置の調整方法であって、径方向の長さが前記第１ピッチの２倍である第１領域と、前記径方向の長さが前記第１ピッチの２倍であって、前記第１領域と比べて反射率が異なる第２領域と、を前記径方向に交互に位置させた調整用ディスクを回転させる起動ステップと、前記調整用ディスクに前記第１および第２サブビームとを照射し、前記第１サブビームにおける再生光に応じた第１受光量と、前記第２サブビームにおける再生光に応じた第２受光量と、を取得する受光量取得ステップと、前記第１領域と前記第２領域との境界における前記第１受光量の変化と、前記境界における前記第２受光量の変化とをもとに、前記回折格子の位置を調整する調整ステップと、を有する。
ここで、径方向とは調整用ディスクの中心から外周側に向けた半径と平行な方向である。
【００１１】
上記のように構成された発明では、調整用ディスクの反射率が異なる第１領域と第２領域とを交互に再生すること得られる、第１領域と第２領域との境界における第１受光量の変化と、同境界における第２受光量の変化とをもとに、回折格子の位置を調整することができる。このとき、境界における受光量の変化がメインビームとサブビームのピッチに応じて表れるため、作業者は、回折格子の調整をより精度よく行え、且つ作業者の作業負荷を低くすることができる。
【００１２】
適用例２
本発明の一態様では、前記受光量取得ステップでは、前記第１サブビームにおける再生光を２分割方式の第１受光部で受光し、前記第１受光部からの出力信号の加算信号を前記第１受光量として取得し、前記第２サブビームにおける再生光を２分割方式の第２受光部で受光し、前記第２受光部からの出力信号の加算信号を前記第２受光量として取得する。
上記のように構成された発明では、フォーカス制御を行う際に用いられる加算信号を流用することができるため、光ピックアップ装置に新たな回路を追加する必要がなく、簡易な構成で本発明を実現することができる。
【００１３】
適用例３
本発明の一態様では、前記第１領域は、情報が記録された記録領域であり、前記第２領域は、情報が記録されていない未記録領域である。
上記のように構成された発明では、第１領域と第２領域とをトラックに情報を記録するか否かにより実現することができるため、調整用ディスクを簡易に生成することができる。
【００１４】
適用例４
本発明の一態様では、前記第１領域と、前記第２領域とは、ピットの形状または配置が異なる。
上記のように構成された発明では、ピットの形状や配置の変化をもとに調整用ディスクを生成できるため、簡易な構成で本発明を適用することができる。
【００１５】
適用例５
本発明の一態様では、前記調整ステップでは、前記境界における前記第１受光量および前記第２受光量の位相差が１８０度となるよう、前記回折格子の位置を調整する。
上記のように構成された発明では、位相差をもとに回折格子の位置を調整するため、作業者が画面を確認しながら作業を行うことができる。
【００１６】
また、本発明は、光ピックアップ装置の調整方法のみならず、このような光ピックアップ装置の調整に用いられる調整用ディスクとして捉えることもできる。
【図面の簡単な説明】
【００１７】
【図１】光ピックアップ装置の調整に用いられる装置の構成を示すブロック図。
【図２】光ピックアップ装置１の光学系を示す図。
【図３】受光部４と、信号演算器５の構成の一部を示す図。
【図４】ピックアップ３のシャーシに固定される回折格子３１を示す図。
【図５】調整用ディスク５０の構成を示す図。
【図６】回折格子の調整方法を説明するフローチャート。
【図７】ピッチＰと、受光量の変化との関係を示す図。
【図８】ピッチＰと、受光量の変化との関係を示す図。
【図９】コンピュータ装置１２の画面に表示されるリザージュ波形を示す図。
【図１０】調整用ディスク５０の構成を示す図。
【図１１】調整用ディスク５０の構成を示す図。
【発明を実施するための形態】
【００１８】
以下、下記の順序に従って本発明の実施形態を説明する。
１．第１の実施形態：
（１）光ピックアップ装置の構成
（２）調整用ディスクの構成
（３）光ピックアップ装置の調整方法
２．第２の実施形態：
３．第３の実施形態：
４．その他の実施形態：
【００１９】
１．第１の実施形態： 
（１）光ピックアップ装置の構成
図１は、光ピックアップ装置の調整に用いられる装置の構成を示すブロック図である。また、図２は、光ピックアップ装置１の光学系を示す図である。そして、図３は、受光部４と、信号演算器５の構成の一部を示す図である。この第１の実施形態では、光ピックアップ装置１の回折格子を調整するために、調整用治具１０と、調整用ディスク５０とが用いられる。
【００２０】
まずは、光ピックアップ装置１の構成について説明する。
図１に示すように、光ピックアップ装置１は、光ピックアップ３と、受光部４と、信号演算器５と、デジタルサーボプロセッサ６と、トラッキングアクチュエータ７と、フォーカスアクチュエータ８と、を有する。光ピックアップ装置１はメディアとしてＤＶＤ（Digital Versatical Disk）の再生や記録を行うことができる。
【００２１】
また、図２に示すように、光ピックアップ３は、光を照射する半導体レーザ２と、半導体レーザ２から照射された光の光路となる光学部品３０と、を備える。光学部品３０は、回折格子３１、ビームスプリッタ３２、１／４波長板３３、コリメートレンズ３４、反射ミラー３５、対物レンズ３６、シリンドリカルレンズ３７を備える。
【００２２】
半導体レーザ２から出射されたレーザ光は、回折格子３１によってメインビームＭＢとサブビーム（第１サブビームＳＢ１、第２サブビームＳＢ２）とに分けられる。回折格子を３１を経たレーザ光（メインビーム、サブビーム）はビームスプリッタ３２で反射され、１／４波長板３３及びコリメートレンズ３４を透過する。コリメートレンズ３４を透過したレーザ光は、反射ミラー３５によって所定角度に反射され、対物レンズ３６へと至る。
【００２３】
対物レンズ３６は、入射したレーザ光をメディアの情報記録層に集光する。そして、メディアに集光したレーザ光は情報記録層で反射し、再生光と成る。再生光は対物レンズ３６を通過後、反射ミラー３５により反射され、コリメートレンズ３４、１／４波長板３３、ビームスプリッタ３２を順に透過する。そして、ビームスプリッタ３２を透過した再生光は、シリンドリカルレンズ３７により非点収差が与えられ、受光部４に集光される。
【００２４】
受光部４は、受光した再生光を電流に変換して、光ディスクからのデータ読出し用信号、フォーカスエラー検出用の出力信号、及びトラッキングエラー検出用の出力信号を出力する。図３に示すように、受光部４は、４分割方式のメイン検出部４１と、２分割方式のサブ検出部（第１受光部、第２受光部）４２、４３とを備える。メイン検出部４１はメインビームＭＢにもとづく再生光が受光する。また、サブ検出部４２、４３は第１サブビームＳＢ１と、第２サブビームＳＢ２とのそれぞれにもとづく再生光を受光する。
【００２５】
信号演算器５は、受光部４から出力される上記の各出力信号から、トラッキングエラー信号と、フォーカスエラー信号を生成する。以下に信号演算器５がフォーカスエラー信号のもととなる差動プッシュプル信号ＤＰＰを生成する手法を説明する。
図３に示すように、メインビームＭＢを受光したメイン受光部４１からの出力信号は、差動増幅器１３に入力し、メインプッシュプル信号ＭＰＰが出力される。また、サブビームＳＢ１、ＳＢ２を受光したサブ検出部４２、４３からの出力信号は、差動増幅器１４、１５にそれぞれ入力し、サブプッシュプル信号ＳＰＰ１、ＳＰＰ２が出力される。そして、加算器１６によりサブプッシュプル信号ＳＰＰ１、ＳＰＰ２の加算信号が出力される。さらに、メインプッシュプル信号ＭＰＰとサブプッシュプル信号ＳＰＰ１、ＳＰＰ２の加算信号とは、差動増幅器１７に入力し、差動プッシュプル信号ＤＰＰが出力される。信号演算器５は、この差動プッシュプル信号ＤＰＰをもとにトラッキングエラー信号を生成し、デジタルサーボプロセッサ６へ出力する。
【００２６】
また、サブビームＳＢ１、ＳＢ２を受光したサブ検出部４２、４３からの出力信号は、加算器１８、１９にそれぞれ入力し、加算信号ＳＰＰｓｕｍ１、ＳＰＰｓｕｍ２が出力される。信号演算器５は、この加算信号ＳＰＰｓｕｍ１、ＳＰＰｓｕｍ２をもとに、フォーカスエラー信号を生成する。信号演算器５は、生成したフォーカスエラー信号を、デジタルサーボプロセッサ６へ出力する。
【００２７】
デジタルサーボプロセッサ６は、トラッキングエラー信号に応じて、光ピックアップ３が光ディスクのトラックに追従するように、光ピックアップ３を駆動するトラッキングアクチュエータ７を制御する。また、デジタルサーボプロセッサ６は、フォーカスエラー信号に応じて、光ピックアップ３内に設けられた対物レンズ（図２の符号３６）と光ディスクとの間の距離が適正となるように、フォーカスアクチュエータ８を制御する。
【００２８】
次に、回折格子３１について説明する。
図４は、光ピックアップ３のシャーシに固定される回折格子３１を示す図である。
図４（ａ）（ｃ）はシャーシに固定される回折格子３１を示す。また、図４（ｂ）は、回折格子３１の調整にともなって変化するメインビームとサブビームのピッチＰを示す図である。
【００２９】
図４（ａ）に示すように、回折格子３１はＧＲＴホルダ２１を介して、光軸に沿って光ピックアップ３のシャーシ２０に回転可能に位置決めされている。また、ＧＲＴホルダ２１には、ＧＲＴホルダ２１を回転させるための凹溝２２が形成されている。作業者が回折格子３１を図中の矢印ａ、ｂの向きに回転させる場合、まず、凹溝２２に操作軸２３の先端を挿入する。操作軸２３の先端は偏心軸となっており、凹溝２２と嵌合する。そして、作業者は、操作軸２３を回転させることで、回折格子３１をＧＲＴホルダ２１ごと矢印ａ、ｂの向きに回転する。
【００３０】
図４（ｂ）に示すように、回折格子３１の回転に応じて、メインビームＭＢの集光位置を中心として、第１サブビームＳＢ１と第２サブビームＳＢ２の集光位置が円周状に変化する。その結果、メインビームＭＢとサブビームＳＢ１、ＳＢ２とのピッチＰが変化する。本発明では、メインビームＭＢ、第１サブビームＳＢ１、第２サブビームＳＢ２のピッチ（第１ピッチ）Ｐが、ＤＶＤの２．５トラック分（０．７４×２．５マイクロメートル）になるよう回折格子３１の位置を調整する。ここで、ピッチＰは、光ディスクのトラックと交差する方向における、メインビームＭＢとサブビームＳＢ１、ＳＢ２との距離である。
【００３１】
そして、図４（ｃ）に示すように、回折格子３１の位置調整が終了すると、凹溝２２に紫外線硬化性接着剤ＵＶを塗布する。そして、紫外線を照射して紫外線硬化性接着剤ＵＶを硬化することで、ＧＲＴホルダ２１をシャーシ２０に固定する。
【００３２】
次に、調整用治具１０について説明する。図１示すように、調整用治具１０は、位相差検出部１１と、コンピュータ装置１２と、を有する。
【００３３】
位相差検出部１１は、信号演算器５から出力される加算信号ＳＰＰｓｕｍ１、ＳＰＰｓｕｍ２の位相差に応じたリサージュ波形を生成し、コンピュータ装置１２に出力する。位相差検出部１１は、調整用治具１０の一部である以外にも、信号演算器５の一部により実現されてもよい。また、コンピュータ装置１２の機能として実現されるものであってもよい。
【００３４】
コンピュータ装置１２は、調整用治具１０の駆動を統合的に制御する。具体的には、コンピュータ装置１２は、光ピックアップ装置１に調整用ディスク５０を再生させるとともに、位相差検出部１１が算出したリサージュ波形を画面に表示する。
【００３５】
（２）調整用ディスクの構成
次に、調整用ディスク５０について説明を行う。
図５は、調整用ディスク５０の構成を示す図である。図５（ａ）に示すように、調整用ディスク５０は、回折格子３１の位置を調整するための調整用層５１を備える。調整用層５１には、調整用ディスク５０の外周から内周に渡って渦巻き状にトラックが形成されている。また、図５（ｂ）に示すように、この調整用層５１には、反射率が異なる第１領域５２と第２領域５３とを備える。第１領域５２と、第２領域５３とは、調整用層５１の径方向Ｄ１に交互に配置されている。ここで、径方向とは調整用ディスク５０の中心から外周側に向けた半径と平行な方向である。即ち、光ピックアップ３が調整用ディスク５０を内周側から外周側に再生することで、第１領域５２と第２領域５３とが交互に再生される。なお、図５では、矩形の領域がトラックである。
【００３６】
第１領域５２は、メインビームＭＢの集光位置からサブビームＳＢ１、ＳＢ２の集光位置までの距離であるピッチＰの２倍の長さを径方向Ｄ１の長さＬ１さとする領域である。図５（ｂ）では、第１領域５２には所定の間隔で５本のトラックが配置されている。
また、第２領域５３は、径方向Ｄ１の長さＬ２が第１領域５２の長さＬ１と同じであって、第１領域５２と比べて反射率が異なる領域である。また、図５（ｂ）では、第２領域５３には所定の間隔で５本のトラックが配置されている。
【００３７】
本実施形態では、トラックピッチを０．７４マイクロメートルとした場合、第１領域５２、第２領域５３の長さＬ１、Ｌ２はそれぞれ、３．７（０．７４×２．５×２）マイクロメートルとなる。この第１の実施形態では、第１領域５２を記録領域とし、第２領域５３を未記録領域としている。そのため、記録領域である第１領域５２を再生することで受光部４が得る受光量は、未記録領域である第２領域５３を再生することで受光部４が得る受光量と比べて少なくなる。
【００３８】
（３）光ピックアップ装置の調整方法
次に、光ピックアップ装置１における回折格子３１の調整方法を説明する。
図６は、回折格子の調整方法を説明するフローチャートである。作業者が図６に示す調整方法に従って回折格子３１を調整することで、メインビームＭＢとサブビーム（第１サブビーム、第２サブビーム）の集光位置が調整される。
【００３９】
ステップ（起動ステップ）Ｓ１では、コンピュータ装置１２は、光ピックアップ装置１に対して、調整用ディスク５０を回転させる。上記のように調整用層５１には、反射率の異なる第１領域５２と第２領域５３とが径方向Ｄ１に交互に配置している。以下、メインビームにより調整用ディスク５０に集光するスポットをメインスポットＭＳ、第１サブビームにより調整用ディスク５０に集光するスポットを第１サブスポットＳＳ１、第２サブビームにより調整用ディスク５０に集光するスポットを第２サブスポットＳＳ２、とも記載する。
【００４０】
ステップ（受光量取得ステップ）Ｓ２では、コンピュータ装置１２は、トラッキングアクチュエータ７をＯＦＦにした状態で、光ピックアップ装置１に調整用ディスク５０の調整用層５１を再生させる。トラッキングサーボをＯＦＦにしているため、対物レンズ３６を通じて集光するメインスポットＭＳとサブスポットＳＳ１、ＳＳ２とは、調整用層５１のトラックを追従することなく横切る。そのため、受光部４は、メインスポットＭＳおよびサブスポットＳＳ１、ＳＳ２がトラックを横切るときの受光量の変化に応じて振幅が変化する出力信号を信号演算器５に出力する。
【００４１】
図７、図８は、ピッチＰと、受光量の変化との関係を示す図である。図７は、ピッチＰが２．５トラック分の長さとなっている場合を示す。また、図８は、ピッチＰが２．５トラック分の長さとなっていない場合を示す。
【００４２】
図７（ａ）は、サブビームＳＢ１、ＳＢ２が第１領域５２と第２領域５３との間の境界をまたぐ際の受光部４の受光量の変化を示す図である。ピッチＰが、第１領域５２および第２領域５３の径方向Ｄ１の長さの２分の１（２．５トラック分）に調整されている場合、図７（ａ）に示すように、第１サブスポットＳＳ１が第１領域５２から第２領域５３に侵入するタイミングで、第２サブスポットＳＳ２は第２領域５３から第１領域５２へ侵入する。このときの、サブ検出部４２から出力される出力信号（受光量）の変化と、サブ検出部４３から出力される出力信号（受光量）の変化とは、信号演算器５から出力される加算信号ＳＰＰｓｕｍ１、ＳＰＰｓｕｍ２の位相差として表れる。
【００４３】
ステップ（受光量取得ステップ）Ｓ３では、コンピュータ装置１２は、光ピックアップ装置１の信号演算器５から出力される受光量に応じた加算信号ＳＰＰｓｕｍ１、ＳＰＰｓｕｍ２を取得する。
【００４４】
図７（ｂ）は、加算信号ＳＰＰｓｕｍ１、ＳＰＰｓｕｍ２の波形を示すグラフである。図７（ｂ）では、横軸を時間とし、縦軸を振幅としている。なお、図７（ｂ）では、便宜上、加算信号ＳＰＰｓｕｍ１、ＳＰＰｓｕｍ２の波形は、サブスポットＳＳ１、ＳＳ２が第１領域５２に位置する場合をハイレベルとし、第２領域５３に位置する場合をローレベルとして記載している。図７（ｂ）に示すように、ピッチＰが、第１領域５２および第２領域５３の径方向Ｄ１の長さの２分の１（すなわち、２．５トラック分の長さ）に調整されていれば、加算信号ＳＰＰｓｕｍ１は、加算信号ＳＰＰｓｕｍ２に対して１８０度位相がずれた波形となる。
【００４５】
一方、図８（ａ）に示すように、ピッチＰが、２．５トラック分の長さに調整されていない場合、第１サブスポットＳＳ１が第１領域５２から第２領域５３に侵入するタイミングでは、第２サブスポットＳＳ２が第２領域５３から第１領域５２へ侵入しない。そのため、図８（ｂ）に示すように、信号演算器５から出力される加算信号ＳＰＰｓｕｍ１と、加算信号ＳＰＰｓｕｍ２との位相差は１８０度とならない。
【００４６】
ステップ（調整ステップ）Ｓ４では、作業者は、コンピュータ装置１２の画面に表示される加算信号ＳＰＰｓｕｍ１と、加算信号ＳＰＰｓｕｍ２の位相差を確認しつつ、回折格子３１を調整する。この第１の実施形態では、位相差検出部１１は、信号演算器５から出力される加算信号ＳＰＰｓｕｍ１と、加算信号ＳＰＰｓｕｍ２の位相差をもとにリサージュ波形を生成し、コンピュータ装置１２に出力する。
【００４７】
図９は、コンピュータ装置１２の画面に表示されるリザージュ波形を示す図である。
ピッチＰが、２．５トラック分の長さに調整される場合、加算信号ＳＰＰｓｕｍ１と、加算信号ＳＰＰｓｕｍ２の位相差は１８０度となる。この場合、図９（ａ）に示すように、コンピュータ装置１２の画面に表示されるリサージュ波形は直線状となる。
一方、ピッチＰが、２．５トラック分の長さに調整されない場合、位相差は１８０度とならない。この場合、図９（ｂ）に示すように、コンピュータ装置１２の画面に表示されるリサージュ波形は直線状とならない。
そのため、作業者は、コンピュータ装置１２に表示されたリサージュ波形を確認しつつ、回折格子３１の位置を調整する。
【００４８】
以下、回折格子３１の調整が完了すると、回折格子３１が固定されたＧＲＴホルダ２１をシャーシ２０に固定する。即ち、図５（ｃ）で示したように、ＧＲＴホルダ２１を紫外線硬化性接着剤ＵＶでシャーシ２０に固定する。
【００４９】
以上説明したように、この第１の実施形態では、光ピックアップ装置１が調整用ディスク５０の反射率が異なる第１領域５２と第２領域５３とを交互に再生することで、第１領域と第２領域との境界における加算信号ＳＰＰｓｕｍ１（第１受光量）の変化と、同境界における加算信号ＳＰＰｓｕｍ２（第２受光量）の変化とをもとに、回折格子の位置を調整することができる。このとき、境界における受光量の変化がメインビームとサブビームのピッチに応じて表れるため、作業者は、回折格子の調整をより精度よく行え、且つ作業者の作業負荷を低くすることができる。
【００５０】
また、上記のように構成された発明では、フォーカス制御を行う際の加算信号を用いて本発明を適用することができるため、光ピックアップ装置に新たな回路を追加する必要がなく、簡易な構成で本発明を実現することができる。
【００５１】
そして、第１領域５２を記録領域とし第２領域５３を未記録領域とすることで、調整用ディスク５０を簡易に生成することができる。
【００５２】
２．第２の実施形態：
調整用ディスク５０の構成は第１の実施形態に示したものに限定されない。
図１０は、第２の実施形態における調整用ディスク５０の構成を示す図である。この第２の実施形態においても、図１０（ａ）に示すように、調整用ディスク５０は、回折格子３１の位置を調整するための調整用層１５１を備える。調整用層１５１には、反射率が異なる第１領域１５２と第２領域１５３とを備える。そして、第１領域１５２と、第２領域１５３とは、調整用層１５１の径方向Ｄ１に交互に配置されている。
【００５３】
図１０（ｂ）に示すように、第１領域１５２は、メインビームＭＢと先行する第１サブビームＳＢ１との集光位置の差であるピッチＰの２倍の長さを径方向Ｄ１の長さＬ１さとする領域である。そして、第１領域１５２には、反射率を変化させるピットが複数形成されている。図１０（ｂ）では、楕円形や円形のピットが径方向ｄ１に５層配列して第１領域１５２が形成されている。
【００５４】
一方、第２領域１５３は、径方向Ｄ１の長さＬ２が第１領域１５２の長さＬ１と同じであって、５本のトラックを備える記録領域として構成されている。そのため、第２領域１５３は、第１領域１５２と比べて反射率が異なる領域となる。なお、第２領域１５３を未記録領域としてもよい。
そのため、複数のピットが形成されている第１領域１５２を再生することで受光部４が得る受光量は、第２領域１５３を再生することで受光部４が得る受光量と比べて変化する。
【００５５】
以上説明したように、この第２の実施形態では、ピットの形状や配置の変化をもとに調整用ディスクを生成できるため、簡易な構成で本発明を適用することができる。
【００５６】
３．第３の実施形態：
図１１は、第３の実施形態における調整用ディスク５０の構成を示す図である。この第３の実施形態においても、図１１（ａ）に示すように、調整用ディスク５０は、回折格子３１の位置を調整するための調整用層２５１を備える。調整用層２５１には、反射率が異なる第１領域２５２と第２領域２５３とを備える。そして、第１領域２５２と、第２領域２５３とは、調整用層２５１の径方向Ｄ１に交互に配置されている。
【００５７】
図１１（ｂ）に示すように、第１領域２５２は、メインビームＭＢと先行する第１サブビームＳＢ１とのピッチであるピッチＰの２倍の長さを径方向Ｄ１の長さＬ１さとする領域である。そして、第１領域１５２には、後述する第２領域１５３に比べて反射率が高いフラットな領域として形成されている。即ち、この第３の実施形態では、第１領域１５２にはトラックが形成されていない。
【００５８】
一方、第２領域２５３は、径方向Ｄ１の長さＬ２が第１領域２５２の長さＬ１と同じ領域として構成されている。そして、第２領域２５３は、第１領域２５２と比べて反射率が低いフラットな領域となっている。即ち、この第３の実施形態では、第２領域１５３にはトラックが形成されていない。
そのため、第１領域２５２を再生することで受光部４が得る受光量は、第２領域２５３を再生することで受光部４が得る受光量と比べて変化する。
【００５９】
以上説明したように、この第３の実施形態では、調整用ディスク５０の各領域をフラットな領域により形成することができるため、簡易な構成で本発明を適用することができる。
【００６０】
４．その他の実施形態：
調整用ディスク５０には、調整用層以外の層が形成されてもよい。即ち、調整用ディスク５０を用いて、回折格子３１の調整以外にも様々な調整が行われる構成としてもよい。
また、メインビームＭＢとサブビームＳＢ１、ＳＢ２のピッチＰを２．５トラック分としたことは一例に過ぎない。
【００６１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６２】
１…光ピックアップ装置、２…半導体レーザ、３…光ピックアップ、４…受光部、５…信号演算器、６…デジタルサーボプロセッサ、７…トラッキングアクチュエータ、８…フォーカスアクチュエータ、１０…調整用治具、１１…位相差検出部、１２…コンピュータ装置、１３〜１５、１７…差動増幅器、１６、１８、１９…加算器、２０…シャーシ、２１…ＧＲＴホルダ、２２…凹溝、２３…操作軸、３０…光学部品、３１…回折格子、３２…ビームスプリッタ、３３…１／４波長板、３４…コリメートレンズ、３５…反射ミラー、３６…対物レンズ、３７…シリンドリカルレンズ、４１…メイン検出部、４２、４３…サブ検出部、５０…調整用ディスク、５１…調整用層、５２…第１領域、５３…第２領域
【図１】
2015138563.tif 000003
【図２】
2015138563.tif 000004
【図３】
2015138563.tif 000005
【図４】
2015138563.tif 000006
【図５】
2015138563.tif 000007
【図６】
2015138563.tif 000008
【図７】
2015138563.tif 000009
【図８】
2015138563.tif 000010
【図９】
2015138563.tif 000011
【図１０】
2015138563.tif 000012
【図１１】
2015138563.tif 000013